【手続補正書】
【提出日】平成23年8月8日(2011.8.8)
【手続補正１】
【補正対象書類名】特許請求の範囲
【補正対象項目名】全文
【補正方法】変更
【補正の内容】
【特許請求の範囲】
【請求項１】
第１光源部と第２光源部とが照明光軸に対して略対称に配置され、
前記第１光源部と前記第２光源部との各々は、発光管と、前記発光管の光軸を中心とする全周のうちの一部に配置されて前記発光管から射出された光を照明対象に向けて反射させる第１リフレクターと、前記発光管の光軸を挟んで前記第１リフレクターと対向するように配置されて前記発光管から射出された光を前記第１リフレクターに向けて反射させる第２リフレクターと、を備えたことを特徴とする照明装置。
【請求項２】
前記第１リフレクターおよび前記第２リフレクターは湾曲した反射面同士が互いに対向するように配置され、前記発光管の光軸を中心とする略全周にわたって前記第１リフレクターと前記第２リフレクターの少なくとも一方が配置されていることを特徴とする請求項１に記載の照明装置。
【請求項３】
前記発光管の光軸を中心とした前記第１リフレクターの受光可能角度範囲が１８０度より大きいことを特徴とする請求項２に記載の照明装置。
【請求項４】
前記発光管の光軸を中心とした前記第２リフレクターの受光可能角度範囲が１８０度より大きいことを特徴とする請求項３に記載の照明装置。
【請求項５】
前記第２リフレクターが、前記発光管の表面に形成された反射膜で構成されたことを特徴とする請求項１ないし４のいずれか一項に記載の照明装置。
【請求項６】
前記第２リフレクターが、前記発光管と別体であって前記発光管に近接して配置された反射ミラーで構成されたことを特徴とする請求項１ないし４のいずれか一項に記載の照明装置。
【請求項７】
前記第１光源部の前記第１リフレクターと前記第２光源部の前記第１リフレクターとが一体化されていることを特徴とする請求項１ないし６のいずれか一項に記載の照明装置。
【請求項８】
前記第１光源部と前記第２光源部との間に、前記第１光源部と前記第２光源部との各々の発光管が配置された空間を区画する分離板が設けられたことを特徴とする請求項１ないし６のいずれか一項に記載の照明装置。
【請求項９】
前記分離板が、前記第１光源部側に位置する第１分離板と前記第２光源部側に位置する第２分離板の２枚の分離板で構成されたことを特徴とする請求項８に記載の照明装置。
【請求項１０】
前記第１光源部の前記発光管に接続された第１リード線と前記第２光源部の前記発光管に接続された第２リード線とが、互いに離間するように配置されたことを特徴とする請求項１ないし９のいずれか一項に記載の照明装置。
【請求項１１】
前記第１光源部と前記第２光源部との各々から射出された光を互いに前記照明光軸側に近接させる光路変更手段が設けられたことを特徴とする請求項１ないし１０のいずれか一項に記載の照明装置。
【請求項１２】
前記第１光源部と前記第２光源部との各々から射出された光の照度を均一化する照度均一化光学系を備え、前記照度均一化光学系が、前記第１光源部と前記第２光源部との各々から射出された光を互いに前記照明光軸側に近接させる機能を備えたことを特徴とする請求項１ないし１０のいずれか一項に記載の照明装置。
【請求項１３】
請求項１ないし１１のいずれか一項に記載の照明装置と、前記照明装置からの光を変調する光変調素子と、前記光変調素子によって変調された光を投写する投写光学系と、を備えたことを特徴とするプロジェクタ。
【請求項１４】
前記第１光源部と前記第２光源部とが、前記光変調素子の長手方向に沿って並ぶように配置されたことを特徴とする請求項１３に記載のプロジェクタ。
【請求項１５】
前記第１光源部と前記第２光源部との各々から射出された光を異なる波長域の複数の色光に分離する色光分離光学系を備え、
前記第１光源部と前記第２光源部とが、前記色光分離光学系における色光分離方向と直交する方向に沿って並ぶように配置されたことを特徴とする請求項１３または１４に記載のプロジェクタ。
【手続補正２】
【補正対象書類名】明細書
【補正対象項目名】００１０
【補正方法】変更
【補正の内容】
【００１０】
上記の目的を達成するために、本発明の照明装置は、第１光源部と第２光源部とが照明光軸に対して略対称に配置され、前記第１光源部と前記第２光源部との各々は、発光管と、前記発光管の光軸を中心とする全周のうちの一部に配置されて前記発光管から射出された光を照明対象に向けて反射させる第１リフレクターと、前記発光管の光軸を挟んで前記第１リフレクターと対向するように配置されて前記発光管から射出された光を前記第１リフレクターに向けて反射させる第２リフレクターと、を備えたことを特徴とする。
なお、ここで言う「照明光軸」とは、照明装置全体としての光軸のことである。また、「発光管の光軸」とは、電力供給時に発光管内に発生する発光部を通り、当該発光管の発光分布における略対称軸のことである。
【手続補正３】
【補正対象書類名】明細書
【補正対象項目名】００１２
【補正方法】変更
【補正の内容】
【００１２】
また、従来のリフレクターと同様、照明対象に向けて光を反射させる機能を有する本発明の第１のリフレクターは、発光管の光軸方向から見たときに発光管の光軸を中心とする全周のうちの一部に配置されている。すなわち、本発明の第１のリフレクターは、特許文献１のリフレクターと異なり、発光管の光軸を中心とする全周の全てを囲んでいないため、リフレクター同士が干渉することなく、２つの発光管同士を近接させて配置できる。その結果、２つの発光管から射出される光を照明光軸の近傍に位置させることができるため、空間分布や角度分布の広がりが狭い照明光が得られるとともに、照明装置の小型化を図れる。
【手続補正４】
【補正対象書類名】明細書
【補正対象項目名】００３２
【補正方法】変更
【補正の内容】
【００３２】
また、一対の電極９の各々から延在する給電端子１０が各封止部８を貫通するように設けられ、一方の給電端子１０にはリード線１１が接続され、他方の給電端子１０には口金１６が接続されている。口金１６にはリード線１１が接続されている。この構成により、各電極９にはリード線１１、口金１６を介して外部から電力が供給される。また、図１（Ｂ）に示すように、第１光源部２のリード線１１（第１リード線）と第２光源部３のリード線１１（第２リード線）とは、互いに離間する方向に延在するように配置されている。
以上の構成を有する発光管４において、一対の電極９間に高電圧を印加すると、電極９間に放電が生じて線状あるいは点状の発光部１２が発生し、発光部１２から略全周方向に光が放射される。なお、アーク放電型発光管４としては、高圧水銀ランプ、メタルハライドランプ、キセノンランプ等が該当する。
【手続補正５】
【補正対象書類名】明細書
【補正対象項目名】００４９
【補正方法】変更
【補正の内容】
【００４９】
［変形例１−１］
上記実施形態では、主リフレクター５と副リフレクター６とがともに半割状（θＭ＝θＳ＝１８０度）であったが、完全な半割状でなくても良い。例えば図４に示すように、主リフレクター１７の受光可能角度範囲θＭを１８０度より大きく、副リフレクター１８の受光可能角度範囲θＳを１８０度より小さくしても良い。図４の構成では、主リフレクター１７は、ランプ光軸Ｌ１，Ｌ２を含む平面Ｐ１を越えて僅かに副リフレクター１８側に回り込むような形状とし、θＭ＞１８０度としている。一方、副リフレクター１８を構成する反射膜は、主リフレクター１７の回り込みの程度に応じて半割状よりも少ない領域に形成され、θＳ＜１８０度としている。すなわち、ランプ光軸Ｌ１，Ｌ２に直交する平面において、発光部から略全周方向に放射される光を主リフレクター、副リフレクターのいずれかで受光できる構成であれば良い。図４のような主リフレクター１７が副リフレクター１８側に多少回り込む程度の形状であれば、照明装置をほとんど大型化することがない。したがって、バルブ部７の存在によって第１光源部２の主リフレクター１７と第２光源部３の主リフレクター１７との間に必然的に生じる間隙Ｓが増大しない範囲で、主リフレクター１７が回り込む程度に設定することが望ましい。そして、主リフレクター１７のネック部が略筒状もしくはＣ字状となることで発光管４の封止部８を保持する部分が増え、発光管４をより確実に保持しやすくなる。
【手続補正６】
【補正対象書類名】明細書
【補正対象項目名】００９４
【補正方法】変更
【補正の内容】
【００９４】
【図１】本発明の第１実施形態の照明装置の構成を示す図であり、図１（Ａ）は側断面図、図１（Ｂ）は正面図である。
【図２】本照明装置における副リフレクターの効果を示す図であり、図２（Ａ）は各リフレクターでの反射光経路を示す図、図２（Ｂ）は本照明装置と比較例の照明装置の光強度分布を比較した図、である。
【図３】本照明装置と従来例の照明装置との光強度分布を比較した図である。
【図４】変形例１−１の照明装置の正面図である。
【図５】変形例１−２の照明装置の正面図である。
【図６】本発明の第２実施形態の照明装置の構成を示す図であり、図６（Ａ）は側断面図、図６（Ｂ）は正面図である。
【図７】変形例２−１の照明装置の側断面図である。
【図８】本発明の第３実施形態の照明装置の構成を示す正面図である。
【図９】本発明の第４実施形態の照明装置の構成を示す図であり、図９（Ａ）は側断面図、図９（Ｂ）は正面図である。
【図１０】変形例４−１の照明装置の構成を示す図であり、図１０（Ａ）は側断面図、図１０（Ｂ）は正面図である。
【図１１】変形例４−２の照明装置の構成を示す図であり、図１１（Ａ）は側断面図、図１１（Ｂ）は正面図である。
【図１２】変形例４−２の照明装置の他の構成を示す図であり、図１２（Ａ）は側断面図、図１２（Ｂ）は正面図である。
【図１３】図１３（Ａ）は本発明の第５実施形態のプロジェクタの概略構成図であり、図１３（Ｂ）は光路変更光学素子を図１３（Ａ）と異なる方向から見た図である。
【図１４】本プロジェクタの特定位置での光強度分布を示す図である。
【図１５】特定位置での照明光軸と直交する平面における光強度分布を示す図である。
【図１６】図１６（Ａ）は変形例５−１のプロジェクタの特定の光学要素の配置を直線的に示す図、図１６（Ｂ）は図１３のプロジェクタの特定の光学要素の配置を直線的に示す図である。
【図１７】図１７（Ａ）、（Ｂ）ともに光路変更光学系の他の例を示す図である。
【図１８】変形例５−３のプロジェクタの概略構成図である。
【図１９】変形例５−４のプロジェクタの概略構成図である。